(57)【特許請求の範囲】
【請求項１】
陸上車両（４）が走行したり停止したりする道路の近辺に配置する空中の給電装置であって、車両が通過しているとき、および停止しているときに前記陸上車両（４）に電力を一時的に供給するようになっており、電柱（３）、縦材、建物の外壁などの固定基盤（２）に取り付けられ、固定またはスライドでの摩擦によって電気的に接触する１つまたは複数の電極部品を有し、該電極部品は、陸上車両（４）の上部で保持されている集電構造（１１）の少なくとも１つの 集電部材（１０）と接触して給電するようになっている給電装置において、
− 支持体の役割を果たす固定部と、
− 給電装置（１）の真下に車両が到着または車両があることによって生じる機械的な応力の作用を受けて、機械的および自動的に上方に移動または変形される可動式または変形可能な部分（５）と、
− 道路を横断する方向に延伸された面にある１つまたは複数の電極部品の形態で可動式または変形可能な部分（５）に保持される１つまたは複数の集電靴 と、
− 集電靴（９）と車両に保持されている集電構造（１１）との間が接触していない休止位置と、移動中または停止中の車両（４）が給電装置（１）の真下に現れて集電靴（９）が車両に支持されている集電構造（１１）と接触しているときに供給される電気と電気的に接触する位置との間を集電靴（９）が自動的に移動し、この逆方向にも移動するように設定されている装置（１）の固定部分と可動式または変形可能な部分（５）との間の連結部と、
− 集電靴（９）に自動的に給電する電気接続装置であって、車両が給電装置（１）の真下に到着または存在するときに限って集電靴（９）に給電する装置
とを有し、
前記可動式または変形可能な部分（５）の機械的および自動的な上方への移動または変形によって前記集電靴（９）への給電が行われることを特徴とする給電装置。
【請求項２】
前記可動式または変形可能な部分（５）は、道路に対してほぼ平行または直角な軸を中心に上下運動をする、または上下運動を引き起こすことを特徴とする、請求項１に記載の給電装置。 
【請求項３】
前記可動式または変形可能な部分（５）は、変形しないまたは変形可能な連結を介して固定基盤（２）との結合部まで延びている集電靴を保持するヘッドで構成されることを特徴とする、請求項２に記載の給電装置。
【請求項４】
前記可動式または変形可能な部分（５）は、下に向かう戻し作用で弾性作用を伴うタイプのもの、または板ばねを有することを特徴とする、請求項１〜３のいずれか一項に記載の給電装置。
【請求項５】
前記可動式または変形可能な部分（５）と前記固定部分との間の連結は関節部を有することを特徴とする、請求項２に記載の給電装置。
【請求項６】
前記可動式または変形可能な部分（５）と前記固定部分との間の連結は、前記給電装置（１）の前記可動式または変形可能な部分（５）を移動させて、道路に対してほぼ平行な軸を中心に垂直な上下運動を引き起こす回転手段を形成する関節部（８）であることを特徴とする、請求項５に記載の給電装置。
【請求項７】
前記集電靴（９）は、柔軟であるか、弾性作用のあるサスペンション（１５）によって保持している構造に連結しているか、上下運動をするように取り付けられることを特徴とする、請求項１〜６のいずれか一項に記載の給電装置。
【請求項８】
自動的に給電する電気接続装置は、前記可動式または変形可能な部分（５）に収容されている給電端子（１３）を有することを特徴とする、請求項１に記載の給電装置。
【請求項９】
前記集電靴（９）から自動的に給電する電気接続装置は、前記給電装置の真下または近辺での車両の有無に応じて働く電圧印加手段および電圧切断手段を有することを特徴とする、請求項１に記載の給電装置。
【請求項１０】
前記給電装置がさらに、車両がないときに給電を切断し、車両が接近したときに再度給電を開始する自動の接続／切断手段（１６）を有することを特徴とする、請求項１に記載の給電装置。
【請求項１１】
前記自動の接続／切断手段（１６）は、前記車両（４）の通過に応じたタイムアウトの時間が過ぎると給電を切断し、給電装置（１）の下を前記車両（４）が接近したとき、または通過したときに再度給電を開始することを特徴とする、請求項１０に記載の給電装置。
【請求項１２】
前記自動の接続／切断手段（１６）は、前記車両の存在または接近を検知する検知器に連結していることを特徴とする、請求項１０または１１に給電装置。
【請求項１３】
前記給電装置はさらに、前記給電端子（１３）を外部環境から保護し、感電によるリスクを抑える保護カバー（１４）を有することを特徴とする、請求項８に記載の空中の給電装置。
【請求項１４】
前記給電装置はさらに、休止位置にあるときに前記給電装置（１）の前記可動式または変形可能な部分（５）を自動的にロックし、給電のために電気的に接触する位置に移動するためにアンロックする機械的な自動のロック／アンロック手段を有することを特徴とする、請求項１に記載の給電装置。
【請求項１５】
前記機械的な自動のロック／アンロック手段は、上に上がる際に前記給電装置（１）の前記可動式または変形可能な部分（５）をアンロックすることを特徴とする、請求項１４に記載の給電装置。
【請求項１６】
前記給電装置はさらに、前記給電装置（１）または該装置の一部を収納位置に移動させることができる収納用の関節部（７）を有することを特徴とする、請求項１に記載の給電装置。
【請求項１７】
前記収納用の前記関節部（７）は、水平または垂直方向に回転する動きによって前記給電装置（１）または該装置の一部を収納することができる回転式関節であることを特徴とする、請求項１６に記載の給電装置。
【請求項１８】
前記給電装置はさらに、前記収納の動きを補佐するモータを有することを特徴とする、請求項１６に記載の給電装置。
【請求項１９】
前記固定基盤（２）に対して横断方向に伸び、固定部（６）を介して前記固定基盤（２）から突出して取り付けられ、Ｔ字型の給電装置を保持する保持部材（１８）を有することを特徴とする、請求項１に記載の給電装置。
【請求項２０】
前記保持部材（１８）は、その自由端に前記給電装置（１）の前記可動式または変形可能な部分（５）を回転式関節部（８）を介して直角に保持することを特徴とする、請求項１９に記載の給電装置。
【請求項２１】
前記給電装置（１）の収納は、前記固定部（６）の辺りに位置する回転式の前記関節部（７）を中心に前記保持部材（１８）を９０°または１８０°回転させることによって行うことを特徴とする、請求項１６および１９に記載の給電装置。
【請求項２２】
前記給電装置（１）が、２つの走行道路にある２台の車両（４）に同じ１つの固定基盤（２）から給電することができる、少なくとも車両（４）１台の幅に相当する距離だけ互いに離れた少なくとも２つの集電靴（９）を有することを特徴とする、請求項１に記載の給電装置。
【発明の詳細な説明】
【技術分野】
【０００１】
本発明は、電力を受容する屋根上構造を有する電動の陸上車両に給電するための集電靴の役割を果たす１つまたは複数の電極部品を有する関節式の空中装置に関する。
【０００２】
特定の一実施形態では、これは電柱、支柱、建物の外壁、または任意の固定された支持体に回転式に取り付けられる給電アームのことである。
【０００３】
本発明は、電力を引くための屋根上構造を備える電動の陸上車両に空中で電力を供給する装置の役割を果たすためのものである。
【０００４】
車両は、給電用の空中装置の下を通過するが、これは車両に電力をもたらして、場合によっては蓄電したのちに車両を動かす、屋根構造にある伝導線からなる上部で集電靴の役割を果たす電極部品のうちの少なくとも１つをスライド接触させることによるものである。
【０００５】
これらの手段は、車両が停止しているときでも動作する。このように停止している場合は、電力輸送が行われるように、電極部品が集電する車両の屋根上構造と接触していれば十分である。
【０００６】
本発明の出願人および発明者らは、複雑な構造で屋根上で多くの場所を取るパンタグラフまたはこれと同様のどのような集電システムも車両が備えていない、電動車両用の新たな給電システムを開発した。
【０００７】
この独創的なシステムによれば、車両は、車両のほぼ全体に広がる少なくとも１つの集電部材を有する屋根上構造を備えている。車両が走行する道路の全長にわたって局所的に給電手段が備えられている。これらの給電手段はそれぞれ、１つまたは複数の給電用の集電靴を有し、この集電靴は車両の屋根上構造とスライド接触または固定接触して走行および作動に必要な電力を供給する。
【０００８】
道路上のこの一区間では、システムの各給電手段の間のスペースは、集電を行う車両の屋根構造が少なくとも１つの集電靴と恒久的に接触するように設定されている。蓄電される陸上車両の場合、この間隔はもっと長くてもよい。
【背景技術】
【０００９】
これらの給電手段は、車両が停止しているときでも作動する。しかしながら、電力輸送が行われるためには、電極部品が車両の上方にある集電構造と接触している必要がある。
【００１０】
給電手段は、電柱、街灯、緊張したケーブル、および一般に高所に設置して固定することができるあらゆる手段で保持することができる。同じく、これらの給電手段は一般に、電動車両が通過するスペースの上にある突出部分に集電靴を懸架することができる装置で保持することができる。
【００１１】
カテナリーおよび高圧線などの空中の給電手段は一般に、都市環境では危険な要素となることが知られている。実際に、これらの給電手段の電圧のかかった部材に１つでも接触すれば、誰でも死に至るおそれのある重大な事故を招く危険性がある。
【００１２】
さらに、この空中の線は、高所へ上る手段またはアクセスする手段を必要とする消防士の介入またはその他のあらゆる介入の妨げとなるおそれがある。
【００１３】
安全上、あらゆる事故のリスクを回避するため、集電の段階を除いて電気的接触または電圧を切断する接触につながるものを妨げる保護手段が求められている。
【発明の概要】
【発明が解決しようとする課題】
【００１４】
本発明の目的は、集電の段階を除いて全体の電気的な安全を保障しつつ電力を供給する独創的な空中の手段を車両にもたらすことである。
【００１５】
このほか、電動車両が道路または都市を走る車両の場合、道路上または車道上の高所に装置があると、さらに高い車両などの障害となることがある。さらに高い動体が通過するのに必要なスペースを確保するために、これらの装置が収納可能に設定されていれば有利であろう。
【課題を解決するための手段】
【００１６】
本発明によれば、給電装置が休止位置にあるときは電圧が自動的に停止し、給電装置の全体または一部が給電位置にあるとき、すなわち車両が給電装置の下に来たときは電圧が印加されて給電状態となる、１つまたは複数の集電靴を有する可動式または変形可能な空中の給電装置を備える。給電装置は、給電位置に移るため、たとえば車両の屋根上構造の先端の上昇斜面によって機械的および自動的に持ち上げられる。
【００１７】
この技術的課題を解決するため、本発明は、陸上車両が走行したり停止したりする道路の近辺に配置する空中の給電装置であって、車両が通過または停止しているときにこの陸上車両に電力を一時的に供給するようになっている装置を提供する。この装置は、電柱、縦材、建物の外壁などの固定基盤に取り付けられる。装置は、固定またはスライドでの摩擦によって電気的に接触する１つまたは複数の電極部品を有し、この電極部品は、陸上車両の上部で保持されている集電構造の少なくとも１つの集電部材と接触して給電するようになっている。
【００１８】
本発明によれば、この給電装置は、
−  支持体の役割を果たす固定部と、
−  車両が給電装置の真下に到着または存在することによって生じる機械的な応力の作用を受ける可動式または変形可能な部分と、
−  道路に対してほぼ直角な面にある１つまたは複数の電極部品の形態で可動式または変形可能な部分に保持される１つまたは複数の集電靴と、
−  集電靴と車両に保持されている集電構造との間が接触していない休止位置と、移動中または停止中の車両が給電装置の真下に現れて集電靴が車両に支持されている集電構造と接触しているときに給電されて電気的に接触する位置との間を、集電靴が自動的に移動し、この逆方向にも移動するように設定されている装置の固定部分と可動式または変形可能な部分との間の連結部と、
−  集電靴に自動的に給電する電気接続装置であって、車両が給電装置の真下に到着または存在するときに限って集電靴に給電する装置
とを有する。
【００１９】
変形例によれば、給電装置の可動式または変形可能な部分は、道路に対してほぼ平行または直角な軸を中心に上下運動をする、または上下運動を引き起こすことができる。
【００２０】
この可動式または変形可能な部分は、変形しないまたは変形可能な連結を介して固定基盤との結合部まで延びている集電靴を保持するヘッドで構成されることが優先的である。
【００２１】
可動式または変形可能な部分は、下に向かう戻し作用で弾性作用を伴うタイプのものとすることができ、たとえば板ばねを有することができる。
【００２２】
好適な一実施形態によれば、可動式または変形可能な部分と固定部分との間の連結は関節部を有し、この関節部は、給電装置の可動式または変形可能な部分を移動させて、道路に対してほぼ平行な軸を中心に垂直な上下運動を引き起こす回転手段を形成することが好ましい。
【００２３】
自動的に給電する電気接続装置は、給電装置の可動式または変形可能な部分に収容されている給電端子を有することが好ましい。この電気接続装置は、給電装置の真下または近辺での車両の有無に応じて働く電圧印加手段および電圧切断手段を有することもできる。
【００２４】
本発明の一実施形態によれば、本発明による給電装置は、車両の前方部が給電アームの下を通るときに、集電手段を有する車両の屋根上構造の外側の手段または前面の斜面によって給電位置に来る、または強制される可動式または変形可能な部分を有する可動式または変形可能なアームである。変形例によれば、この動きによって給電手段の集電靴に電圧が自動的に印加され、屋根上構造を介して電力が車両へ輸送される。
【００２５】
車両が通過したあとは、給電装置の可動式または変形可能な部分はもはや上へ向かうようには強制されずに集電靴への電圧が自動的に停止する休止位置に戻る。
【００２６】
長手軸とは、車両が移動する方向にほぼ平行な軸のことであり、横断軸とは、車両が移動する方向にほぼ直角な軸のことである。
【００２７】
本発明により、給電手段の外部およびアクセス可能な部分は、給電装置の下を車両が通過するとき、または停止しているときしか電圧が印加されないため、感電による事故のあらゆるリスクが回避される。さらに、この給電装置は現実的な安全装置でもあり、安全上の特徴を一層増大させるものである。
【００２８】
本発明の給電装置は、たとえば水平方法または垂直方向に回転することによって折り畳み式または収納可能とすることもでき、それによって車道または道路の上全域を開放することができる。給電装置をこのように収納するのは、手動または電動とすることができる。本発明の給電網の全体または一部に対して、特定の状況に応じて自動にしたり、遠隔から制御したりすることもできる。
【００２９】
この収納は、前面などに衝撃が加わることによって引き起こすこともできる。たとえば、車両が荒々しく、または正常でない方法で本発明の給電装置に衝突した場合、このように収納されることによって、車両の集電構造および空中の給電装置が破損するリスクが同時に回避される。この場合は、たとえば可溶性のピンまたはリセット可能なピンを備える装置で安全性に適合した装置を備える。
【００３０】
本発明のその他の特徴および利点は、添付の図を参照しながら実施例について説明した以下の説明文を読めば明らかになるであろう。
【図面の簡単な説明】
【００３１】
【図１】本発明の一実施形態による給電装置の回転アームの側面図であり、このアームは車両が通過することによって上に動く。
【図２】図１の回転アームが下の休止位置にあるときの側面図である。
【図３】図１の回転アームが上に向かって動いたときの側面図である。
【図４】図２の回転アームが水平に回転することによって収納位置にあるときの側面図である。
【図５】図２の回転アームの上面図である。
【図６】図３の回転アームの上面図である。
【図７】図４の回転アームの上面図である。
【図８】図２および図５の回転アームの垂直方向の断面図である。
【図９】図３および図６の回転アームの垂直方向の断面図である。
【図１０】図２の回転アームを上から見た斜視図である。
【図１１】図２の回転アームを上から見た斜視図であり、外装および給電用の集電靴などの部材を取り除いた図である。
【図１２】車両の接近を検知する電動の二重の安全手段を示す概略図である。
【図１３】車両の接近を検知する電動の二重の安全手段を示す概略図である。
【図１４】２車線の交通道路用であるダブルアームの概略図である。
【図１５】直角に回転した回転アームの斜視図である。
【図１６】図１５の回転アームの側面図である。
【図１７】図１５の回転アームの正面図である。
【発明を実施するための形態】
【００３２】
本発明は、発明性のある一般的概念から生じたものであり、それによれば、固定基盤に取り付けられ、１つまたは複数の電極部品を備えて電動車両が通過するスペースの上で集電靴の役割を果たす上方の給電装置から、屋根上に集電構造を有する公共の旅客輸送用の車両または編成車両に給電し、電極部品は、自動的に屋根構造と接触するように導かれるか、到達する。この上方の給電装置は、集電靴に電圧がかかっていない休止位置から、車両が給電装置の下を通過するか、車両がこの給電装置の下で動かなくなって停止したときに、集電靴が車両の屋根上構造と固定接触またはスライド接触して電力供給を開始する給電位置へと移る。
【００３３】
安全上の理由から、供給する電圧は、集電の段階を除いて自動的に切断される。
【００３４】
次に、図１から図１７を参照しながら給電用の回転アームの一実施形態について説明する。異なる図に示した同等の部材には同じ符号を付している。
【００３５】
この実施形態の詳細は限定的なものではなく、逆に、この好適な実施形態から引き出すことができるあらゆる変形例は、本発明の範囲に直接含まれ、よって本発明の保護範囲にも含まれるものであると解釈すべきである。
【００３６】
給電用の回転アーム１は、たとえば垂直な基盤２など、好ましくはたとえば支柱、電柱、街灯、交通信号、建物の外壁、壁またはその他の固定構造など、固定基盤に取り付けることができるようになっている。簡略化のため、別の図にはこの給電用の回転アーム１を電柱３に取り付けて示した。これは、回転アーム１に対する基盤２の例にすぎず、これに限定するものとして解釈してはならない。一般に、給電用の回転アーム１を取り付ける基盤２はどのようなものでもよく、追加の機能を備えることもでき、当業者は発明性のある一般概念を逸脱することなく、本発明の回転アーム１を状況および技術上の要求に適したあらゆる固定基盤２に取り付けることを想定することができる。
【００３７】
ただし、この基盤２は、回転アームの休止位置を固定し、天候などの外部からの力または応力がどのようなものであっても不動でなければならないため、給電用の回転アーム１をしっかりと保持するのに十分な機械的耐性を備えているものでなければならない。さらに、回転アーム１は、車両または任意の移動体、および単一車両または連節車両の場合もある編成車両などの給電すべき車両４までもが通過することによって荒らしく衝突されるおそれがある。この場合、車両が通過することによってアームが偶発的に外れるようなことがあってはならない。
【００３８】
一般に、給電用の回転アーム１は、機能固定部および変形しないまたは変形可能な可動部分５を有する。機能固定部は、大きいものであってもよいし、または固定部６を介して基盤２もしくはその他のあらゆる手段に直接取り付けられる機械部品もしくは関節構成要素の大きさに縮小したものであってもよい。この固定部６は、車両の通過スペースの外で、安全用の折り畳み位置にアームを収納することができる１つまたは複数の収納手段７を有することが優先的である。
【００３９】
したがって、本発明による給電装置は、給電装置１または同装置の一部を収納位置に移動させることができる収納用の関節部７を有することが好ましい。これは、水平または垂直方向に回転する動きによってこの収納を実現することができる回転式関節であることが優先的である。
【００４０】
場合によっては、たとえば制御装置によって遠隔から制御するモータ（図示せず）を備えてこの収納の動きを補佐することもできる。
【００４１】
アームの端部は、たとえば上に向かって回転して移動することができる可動部分５に追従する主関節８などを介した連結によって伸びる。アームの機能固定部は、可動部分５となるためのある程度長い突出部分を構成するように広がることができるため、主関節８を電柱３または基盤２からみて外側に向かせ、場合に応じて可動部分５の長さを短縮することができる。同じように、可動部分が２つあるアームで、一方向に走行用のものを１つ、もう一方の方向にこれに平行な道路用のものをもう１つ検討することができる（図１４）。
【００４２】
図示した一般的な実施形態によれば、アームまたは可動部分は第１の接続箇所を構成し、１つまたは複数の集電靴の形態で、１つまたは複数の電気的接点を持つヘッドが外側に向かって続いている。
【００４３】
収納手段７を有する固定部６は、給電用の回転アーム１をたとえばこの電柱に対して下へ回転させることによって下ろすことができる。この回転の動きは、モータ（図示せず）で補佐することができ、モータは制御装置によって遠隔から制御することができる。通常は、垂直軸に沿った収納用の関節部７をブロックする可溶性のピンで、衝撃で壊れてアームを保護するピンなどの安全装置を備えることもできる。また、たとえばバネで押し込んだ球でブロックするようなリセット可能な装置を備えることも可能である。
【００４４】
アームは、大型車両でとりわけ特別に高さのある車両が通過できるように手動で収納してもよい。
【００４５】
給電用の回転アーム１は、可動式または変形可能な部分５のたとえば自由端に、車両が到着して前進することによって、給電装置の下または一般には真下で、たとえば電動車両４の屋根の集電構造１１の集電部材１０と接触するようになっている１つまたは複数の集電靴９を有し、この接触は、回転アーム１の下を車両４が通過する間、または車両４が停止している間に行われる。この通過時に、集電靴９は電源から電圧を印加され、直接またはバッテリ（図示せず）を介して車両４に給電する。
【００４６】
図示した例によれば、給電用の回転アーム１の給電用の集電靴９は、アーム１の休止位置では電圧を印加されずにその状態のままでいるが、車両４の上の集電構造１１の集電部材１０に強制される形で回転アーム１の可動部分５が上に向かって動いた瞬間に電圧を印加される接触点１２を有する。
【００４７】
集電靴は、さまざまな形をとることができる。接触用の平面または支持台を有する変形しない直線のブロック、モノブロック構造、柔軟なブロックまたは弾性作用のあるサスペンションによって保持している構造に連結しているブロックまたは上下運動をするように取り付けられたブロック、または適切な形状または性質であるあらゆるブロックとすることができる。
【００４８】
給電アーム１は、１つまたは複数の給電端子１３を有し、この端子に給電ケーブルが続いている。給電端子１３は、電源（図示せず）に連結し、各給電端子１３は、それぞれが回転アーム１の給電する集電靴９に連結している接点１２を離れたところに備えている。
【００４９】
本発明による給電装置はさらに、給電端子１３を外部環境から保護し、感電による事故のリスクを回避するための保護カバー１４を有することができる。
【００５０】
給電アーム１の可動部分５が上へ移動すると、各給電端子１３は、集電靴９とつながっている接点１２と接触し、その結果、各集電靴９はこの瞬間および車両が通過する間に電圧を印加される。この接触は、給電端子１３を移動させるか、接点１２を移動させるか、この２つの要素１２、１３を互いに接近させることによって実施し、この移動は、車両４があるために、給電アーム１の可動部分５を移動させたり、変形可能な部分を湾曲させたりするたびに起こることである。
【００５１】
これは、電気接点がアームの可動部分の中に位置している一実施例にすぎない。当然ながら、接点はこれ以外のところに位置していてもよく、電圧の印加および停止を別々に実施してもよい。集電靴９への電圧の印加は、たとえば車両が給電装置の近辺に到着した際、すなわち、集電靴９と車両の集電構造との間の物理的接触の少し前に、その存在または接近を探知する手段を用いて、遠距離から開始させることもできる。
【００５２】
図示した好適な実施例では、給電する集電靴９は、少なくとも１つの回転支持体１５によって、たとえば上下運動する弾性サスペンションに取り付けられる。回転支持体は、接触が急激にではなく徐々に中央の横断方向の領域で行われるように、たとえば上下運動軸を中心とするねじれ作用があり、接触は常に確実に平面で達成される必要がある。
【００５３】
アームの主関節８および集電靴のサスペンションによって、集電靴は、車両に対する集電の軌道をあらゆる動的なストロークに正確に合致させることも可能になる。実際に、車両はそれ自体にサスペンションを備え、車体が垂直方向に動いた際には電気接触が維持されていなければならない。同じく、集電の軌道は完全な直線ではなく、独自のサスペンションがあることにより集電靴は、少なくとも単位長さ当たりの接触を維持しながら軌道に合致させることができる。
【００５４】
確実に接触させるのに必要な荷重は、アームの自重によって与えられるが、アームと固定部との間の関節近くに位置するバネで多少なりともカバーすることができる。これらの動きは、伸縮式の緩衝器または関節の辺りでの乾燥摩擦によって緩和することができる。
【００５５】
発明性のある同じ概念の範囲内で、可動部分を２つの装置で作製することを想像することができる。第１の装置は、電極部品を保持または内包する給電ヘッドであり、第２の装置は、たとえば下の位置への弾性戻り力で柔軟性を持つような弾性作用による変形可能な連結部である。例として、固定部に片方を保持され、もう片方で集電靴を備えるヘッドを保持している板ばね、またはこれと同等の手段を挙げることができる。弾性戻り力は、給電位置となって集電靴が十分に給電できるように車両の屋根の集電構造との接触を維持される。
【００５６】
車両の屋根の集電構造が到着すると給電ヘッドが上がり、給電ヘッドは、変形可能な連結部が柔軟であることにより、車両の集電構造に対して弾力のある押圧をかけるようになる。
【００５７】
電気的な安全性を向上させるため、給電アーム１はさらに、たとえば車両の通過に応じてあらかじめ設定されたタイムアウトの時間が過ぎると給電を切断する自動の接続／切断手段１６を有し、自動の接続／切断手段１６は、給電アーム１の下を車両４が通過または接近したとき、もしくは車両が接近したときに再度給電を開始する。
【００５８】
そのために、自動の接続／切断手段１６は、たとえば電柱３またはその他の給電アームの固定基盤２の下部の辺り、またはこれ以外の適切な場所に存在するか、その近辺に設置されている検知器１７に連結し、この探知器１７によって、車４両が接近し、その後給電アーム１の下を通過したのちに、給電する電圧の印加と切断の主な指令または追加の指令を管理すること可能になる。
【００５９】
別の変形例によれば、本発明の給電アーム１はさらに、機械的な自動のロック／アンロック手段（図示せず）を有することができ、同手段は、休止位置にあるとき、すなわち電圧が印加されず、車両がないときまたは車両の通過後に、給電アームの可動部分５を自動的にロックし、たとえば可動部分が上に上がる際には、給電アームの可動部分５をアンロックして給電のために電気接触する位置に移動させる。
【００６０】
図１５〜図１７にさらに別の変形例を示した。この変形例では、本発明の給電装置１は、固定基盤２に対して横断方向に伸び、固定部６を介してこの基盤から突出して取り付けられ、Ｔ字型の給電装置を保持する保持部材１８を有する。保持部材１８は、優先的には直線形状で、その自由端に給電装置１の可動式または変形可能な部分５を回転式関節部を８介して直角に保持する。
【００６１】
この変形例によれば、給電装置１の休止位置および使用位置では、保持部材１８は道路に対して横断方向の位置にあり、給電装置１の可動部分５は道路に対して平行である。したがって、休止位置および使用位置では、給電用の集電靴９は道路に直角であり、保持部材１８と平行である。
【００６２】
この変形例によれば、固定部６は、本発明の給電装置１の収納を可能にする回転式関節部７を有することができる。この回転式関節部７は、たとえば保持部材１８を９０°回転させて道路と平行になるようにするか、たとえば保持部材１８を１８０°回転させて道路と直角になるが道路とは反対側になるようにすることができる。
【００６３】
明らかに本発明は、前述のさまざまな図に示した好適な実施形態に限定されるものではなく、当業者は、特許請求の範囲で定めた本発明の範囲も枠組みも逸脱しないかぎり、数多くの修正を加えてその他の変形例を想像することができる。
【００６４】
たとえば、長手軸は、電動車両の上にある集電線の全体的な軸に対して集電靴を直角に保つことによって横断軸となることができる。
【００６５】
たとえば、同じ１つの固定基盤から２つの走行道路に並んで位置している２台の車両を同時に給電できるようにしたい場合、図１４に示すように、少なくとも２つの集電靴、または少なくとも車両１台の幅に相当する距離だけ互いに離れた２つの集電装置９を有する本発明による給電装置を備えることができる。
【００６６】
さらに、回転アーム１は、たとえば車道の照明手段など、その他の手段を有することができる。同じく、本発明の回転アームが取り付けられている固定基盤の使用に別の機能を持たせたり、照明手段、電線、電波リレーなど、別の装置を備えたりすることもできる。
【００６７】
本発明の枠組内で、車両の進行方向に対して常に直角である電極部品の支持体を有する実施形態を検討することもできるが、この実施形態によれば、この支持体は、車両に平行ではなく車両の進行方向に直角な軸を中心に上下に動くことによって休止位置と給電位置との間を動くことができる。
【００６８】
前述したように、可動部分は２つの装置で作製することができ、１つは電極部品を保持するヘッドの形をとり、もう１つは、変形しないまたは変形可能な連結、あるいは下に向かう戻り力を持つ弾性作用で変形可能な連結の形をとることができる。
【００６９】
この実施形態では、優先的には屋根構造の先端の上昇斜面が前に出ることによって、電極部品を支持体とともに上下運動させて給電位置まで導くというものである。
【図１】
0005633822.tif 000002
【図２】
0005633822.tif 000003
【図３】
0005633822.tif 000004
【図４】
0005633822.tif 000005
【図５】
0005633822.tif 000006
【図６】
0005633822.tif 000007
【図７】
0005633822.tif 000008
【図８】
0005633822.tif 000009
【図９】
0005633822.tif 000010
【図１０】
0005633822.tif 000011
【図１１】
0005633822.tif 000012
【図１２】
0005633822.tif 000013
【図１３】
0005633822.tif 000014
【図１４】
0005633822.tif 000015
【図１５】
0005633822.tif 000016
【図１６】
0005633822.tif 000017
【図１７】
0005633822.tif 000018